(57)【特許請求の範囲】
【請求項１】
電力需要装置が使用者認証過程を経て認証されたときに主電源から電力需要側に主電力が供給されることを許容する使用者認証コンセントであって、上記使用者認証コンセントは、
上記使用者認証コンセントから上記電力需要側に微小電流が流れることを許容するように構成される微小電流制限装置と、
認証用電力によって作動し、かつ、上記使用者認証過程を実行するように構成される認証装置と、を含み、
上記微小電流制限装置は、受動素子であり、かつ、上記電力需要装置が上記使用者認証コンセントに連結されることにより、上記微小電流制限装置を介して上記微小電流が流れるための閉ループが形成されて、上記微小電流が上記電力需要側に供給され、さらに、
上記認証用電力は、上記電力需要側に供給された上記微小電流を用いて上記電力需要側で生成され、かつ、上記電力需要側から上記使用者認証コンセントに供給される、
使用者認証コンセント。
【請求項２】
上記使用者認証コンセントは、コンセントＩＤ要請信号に応じて、上記電力需要側にコンセントＩＤ情報を送信する、
請求項１に記載の使用者認証コンセント。
【請求項３】
上記電力需要装置が上記使用者認証コンセントから連結解除されると、上記微小電流制限装置を通してそれ以上上記微小電流が流れない、
請求項１に記載の使用者認証コンセント。
【請求項４】
上記認証装置は、上記電力需要側から受信したコンセント作動暗号がコンセントＩＤ情報に相応するかどうかを判断する、
請求項１に記載の使用者認証コンセント。
【請求項５】
上記微小電流の最大値は数十ｍＡである、
請求項１に記載の使用者認証コンセント。
【請求項６】
上記使用者認証コンセントは、コンセントＩＤ情報を上記電力需要側に送信し、上記使用者認証コンセントの許容電流量情報を、上記コンセントＩＤ情報を通して上記電力需要側に直接提供する、
請求項１に記載の使用者認証コンセント。
【請求項７】
上記主電源から上記主電力を上記電力需要側に供給することは、電磁開閉器をクローズすることによって許容され、
上記電磁開閉器は上記認証用電力から受けている直流電力によりクローズされ、
一旦上記電磁開閉器がクローズされた後は、上記直流電力を引き続き使うか又は交流電力である上記主電力の一部を使ってそのクローズを維持できる、
請求項１に記載の使用者認証コンセント。
【請求項８】
電力需要装置が使用者認証過程を経て認証されたときに主電源から電力需要側に主電力が供給されることを許容する使用者認証コネクタであって、上記使用者認証コネクタは、
上記使用者認証コネクタから上記電力需要側に微小電流が流れることを許容するように構成される微小電流制限装置と、
認証用電力によって作動し、かつ、上記使用者認証過程を実行するように構成される認証装置と、を含み、
上記微小電流制限装置は、受動素子であり、かつ、上記電力需要装置が上記使用者認証コネクタに連結されることにより、上記微小電流制限装置を介して上記微小電流が流れるための閉ループが形成されて、上記微小電流が上記電力需要側に供給され、さらに、
上記認証用電力は、上記電力需要側に供給された上記微小電流を用いて上記電力需要側で生成され、かつ、上記電力需要側から上記使用者認証コネクタに供給される、
使用者認証コネクタ。
【請求項９】
使用者認証過程を経て電力需要装置が認証されたときに主電源から電力需要装置に主電力が供給される電力仲介用モジュールであって、
上記電力仲介用モジュールは、使用者認証コンセント又は使用者認証コネクタの微小電流制限装置を通して流れることが許容される微小電流を、上記使用者認証コンセント又は上記使用者認証コネクタから受け取るように構成され、
上記微小電流制限装置は、受動素子であり、かつ、上記電力需要装置が上記使用者認証コンセント又は上記使用者認証コネクタに連結されることにより、上記微小電流制限装置を介して上記微小電流が流れるための閉ループが形成されて、上記微小電流は上記電力仲介用モジュールに供給され、
上記電力仲介用モジュールは、さらに、上記使用者認証コンセント又は上記使用者認証コネクタから供給された上記微小電流から認証用電力を生成し、かつ、上記使用者認証過程のために上記使用者認証コンセント又は上記使用者認証コネクタへ上記認証用電力を供給する、
電力仲介用モジュール。
【請求項１０】
上記電力仲介用モジュールは、上記使用者認証コンセント又は上記使用者認証コネクタのコンセントＩＤ情報に相応するコンセント作動暗号を、上記使用者認証コンセント又は上記使用者認証コネクタに送信する、
請求項９に記載の電力仲介用モジュール。
【請求項１１】
上記電力仲介用モジュールは、上記微小電流を直流に変換して認証用電力を生成するＡＣ／ＤＣコンバータを含む、
請求項９に記載の電力仲介用モジュール。
【請求項１２】
上記電力仲介用モジュールは、単位時間周期ごとに上記電力需要装置に起因した電力量情報を仲介サーバに伝送する、
請求項９に記載の電力仲介用モジュール。
【請求項１３】
上記電力仲介用モジュールは、上記使用者認証コンセント又は上記使用者認証コネクタのコンセントＩＤ情報に相応する上記使用者認証コンセント又は上記使用者認証コネクタの許容電流量情報の伝送を仲介サーバから受ける、
請求項９に記載の電力仲介用モジュール。
【請求項１４】
請求項９〜請求項１３のうちいずれか一項による電力仲介用モジュールを備えるか上記電力仲介用モジュールを媒介として使用者認証コンセント又は使用者認証コネクタに連結されて充電されることができる、
電力需要装置。
【発明の詳細な説明】
【技術分野】
【０００１】
本発明は、保安を維持しながらも待機電力消耗のない使用者認証コンセント又は使用者認証コネクタ、そのような使用者認証コンセント又は使用者認証コネクタから電力需要装置に主電力が供給されることができるようにする電力仲介用モジュール、そしてこのような電力仲介用モジュールを備えるか上記電力仲介用モジュールを媒介として使用者認証コンセント又は使用者認証コネクタに連結されて充電されることができる電力需要装置に関する。
【背景技術】
【０００２】
多量の電気を用いて充電されなければならない電力需要装置、特に電気自動車のような移動式電力需要装置が増加している。このような電力需要装置は時々、電力需要装置の所有者が、自身が所有又は居住していないところから電力供給を受けることを要する。このような理由により、例えば電気自動車に対して、車両所有者が、自身が所有又は居住していないところで、例えばアパートの地下駐車場で、コンセントに連結して電力の供給を受けることができるようにする、使用者認証機能が内蔵されたコンセント、マルチタップ、電気自動車充電器などの給電装置が開発された。ところが、このような給電装置によると、使用者認証のための部品が待機動作時に電力（以下、待機電力）を自体的に消耗することになる。また、既存の給電装置によると、待機電力にかかる費用を負担する者（例えば、建物所有者／居住者）と実使用者（例えば、電気自動車の所有者）とが不一致な場合が存在することになる。
【発明の概要】
【発明が解決しようとする課題】
【０００３】
よって、本発明の解決しようとする課題は、保安を維持しながらも待機電力消耗のない使用者認証コンセント又は使用者認証コネクタを提供することである。
【０００４】
本発明の解決しようとする他の課題は、保安を維持しながらも待機電力消耗のない使用者認証コンセント又は使用者認証コネクタから電力需要装置に主電力が供給されることができるようにする電力仲介用モジュールを提供することである。
【０００５】
本発明の解決しようとするまた他の課題は、電力仲介用モジュールを備えるか上記電力仲介用モジュールを媒介として、保安を維持しながらも待機電力消耗のない使用者認証コンセント又は使用者認証コネクタに連結されて充電されることができる電力需要装置を提供することである。
【０００６】
本発明の解決しようとする課題は、以上で言及された課題に制限されず、言及されていない他の課題は、下の記載から本発明の属する技術分野の通常の技術者に明確に理解されることができるはずである。
【課題を解決するための手段】
【０００７】
上記課題を解決するための本発明による使用者認証コンセント又は使用者認証コネクタの一態様（ａｓｐｅｃｔ）は：使用者認証のための認証用電力とコンセント作動暗号の伝送を受けるための認証用端子；上記認証用電力によって作動し上記コンセント作動暗号がコンセントＩＤ情報に相応するかを判断する認証装置；及び、上記使用者認証コンセント又は使用者認証コネクタに電力需要装置が連結されたとき、微小電流が流れることを許容する微小電流制限装置；を含む。上記認証用電力は、上記微小電流から得られ上記認証用端子を媒介として外部から供給される。上記コンセント作動暗号が上記コンセントＩＤ情報に相応すれば、主電源から上記電力需要装置のための主電力を外部に供給する。
【０００８】
本発明による使用者認証コンセント又は使用者認証コネクタの一態様において、上記認証用端子を媒介として上記使用者認証コンセント又は使用者認証コネクタは外部からコンセントＩＤ要請信号を受信し外部にコンセントＩＤ情報を送信することができる。
【０００９】
本発明による使用者認証コンセント又は使用者認証コネクタの一態様において、上記電力需要装置が上記使用者認証コンセント又は使用者認証コネクタから連結解除されると、上記微小電流制限装置を通してそれ以上上記微小電流が流れないことが可能である。
【００１０】
本発明による使用者認証コンセント又は使用者認証コネクタの一態様において、上記使用者認証コンセント又は使用者認証コネクタの認証用端子は、外部と無線で連結されて上記認証用電力及び上記コンセント作動暗号の伝送を無線で受けることができる。
【００１１】
本発明による使用者認証コンセント又は使用者認証コネクタの一態様において、上記微小電流の最大値は数十ｍＡであり得る。
【００１２】
本発明による使用者認証コンセント又は使用者認証コネクタの一態様において、上記使用者認証コンセント又は使用者認証コネクタは、上記使用者認証コンセント又は使用者認証コネクタの許容電流量情報を、上記コンセントＩＤ情報を通して外部に直接提供することができる。
【００１３】
本発明による使用者認証コンセント又は使用者認証コネクタの一態様において、上記主電源から上記電力需要装置のための主電力を外部に供給することは、電磁開閉器をクローズすることによってなされることができるが、上記電磁開閉器は外部から直流電力を受けてクローズされることになり、一旦上記電磁開閉器がクローズされた後は、上記直流電力を引き続き使うか又は交流電力である上記主電力の一部を使ってそのクローズを維持できるように構成されることができる。
【００１４】
本発明による使用者認証コンセント又は使用者認証コネクタの一態様において、上記微小電流制限装置は、リセッタブルヒューズ（Resettable fuse）であり得る。
【００１５】
上記他の課題を解決するための本発明による電力仲介用モジュールの一態様は：使用者認証コンセント又は使用者認証コネクタに電力需要装置が連結されたとき、微小電流制限装置を通して流れることが許容される微小電流の提供を上記使用者認証コンセント又は使用者認証コネクタから受け；コンセント作動暗号を上記使用者認証コンセント又は使用者認証コネクタに伝送する一方、上記微小電流から得られる認証用電力を上記使用者認証コンセント又は使用者認証コネクタに提供し；そして、使用者認証後に上記使用者認証コンセント又は使用者認証コネクタから上記電力需要装置に主電力が供給されることができるようにする。
【００１６】
本発明による電力仲介用モジュールの一態様において、上記電力仲介用モジュールは、上記微小電流を直流に変換して認証用電力を生成するＡＣ／ＤＣコンバータを含むことができる。
【００１７】
本発明による電力仲介用モジュールの一態様において、上記電力仲介用モジュールは、自体バッテリを備えないことが可能である。
【００１８】
本発明による電力仲介用モジュールの一態様において、上記電力仲介用モジュールは、単位時間周期ごとに上記電力需要装置に起因した電力量情報を仲介サーバに伝送することができる。
【００１９】
本発明による電力仲介用モジュールの一態様において、上記電力需要装置が上記使用者認証コンセント又は使用者認証コネクタから連結解除されると、上記電力量情報は上記仲介サーバにそれ以上伝送されないことが可能である。
【００２０】
本発明による電力仲介用モジュールの一態様において、上記電力仲介用モジュールと上記仲介サーバとの間の通信中断前の最後の単位時間周期の充電量を、通信中断が発生した単位時間周期の充電量として見なすことができる。
【００２１】
本発明による電力仲介用モジュールの一態様において、上記単位時間周期は１分であり得る。
【００２２】
本発明による電力仲介用モジュールの一態様において、上記電力仲介用モジュールは、上記使用者認証コンセント又は使用者認証コネクタのコンセントＩＤ情報に相応する上記使用者認証コンセント又は使用者認証コネクタの許容電流量情報の伝送を仲介サーバから受けることができる。
【００２３】
本発明による電力仲介用モジュールの一態様において、上記電力仲介用モジュールは、上記電力需要装置への連結のための使用者認証コネクタと一体化されて具現されることができる。
【００２４】
本発明による電力仲介用モジュールの一態様において、上記電力仲介用モジュールは、上記使用者認証コンセント又は使用者認証コネクタへの連結のためのプラグと一体化されて具現されることができる。
【００２５】
本発明による電力仲介用モジュールの一態様において、上記微小電流制限装置は、リセッタブルヒューズ（Ｒｅｓｅｔｔａｂｌｅ  ｆｕｓｅ）であり得る。
【００２６】
上記また他の課題を解決するための本発明による電力需要装置の一態様は、本発明による電力仲介用モジュールを備えるか上記電力仲介用モジュールを媒介として使用者認証コンセント又は使用者認証コネクタに連結されて充電されることができる。
【００２７】
本発明のその他具体的な事項は、詳細な説明及び図面に含まれている。
【図面の簡単な説明】
【００２８】
【図１】本発明の一実施例による使用者認証コンセント又は使用者認証コネクタ、電力仲介用モジュール及び電気自動車を示したダイアグラム（図）である。
【図２】待機中の時の使用者認証コンセント又は使用者認証コネクタでの電流の流れを説明するためのダイアグラムである。
【図３】使用者認証中の時の使用者認証コンセント又は使用者認証コネクタでの電流の流れを説明するためのダイアグラムである。
【図４】充電中の時の使用者認証コンセント又は使用者認証コネクタでの電流の流れを説明するためのダイアグラムである。
【図５】本発明の他の実施例による電力仲介用モジュールを含む、使用者認証コンセント又は使用者認証コネクタ、電力仲介用モジュール及び電気自動車を示したブロックダイアグラムである。
【図６】本発明のまた他の実施例による電力仲介用モジュールを含む、使用者認証コンセント又は使用者認証コネクタ、電力仲介用モジュール及び電気自動車を示したブロックダイアグラムである。
【図７】本発明の他の実施例による電気自動車を含む、使用者認証コンセント又は使用者認証コネクタ及び電気自動車を示したブロックダイアグラムである。
【図８】本発明による使用者認証コンセント又は使用者認証コネクタ、電力仲介用モジュール及び電気自動車において、電気自動車の充電が始まる過程を示したフローチャートである。
【図９】本発明による使用者認証コンセント又は使用者認証コネクタ、電力仲介用モジュール及び電気自動車において、電気自動車の充電が完了する過程を示したフローチャートである。
【発明を実施するための形態】
【００２９】
本発明の利点及び特徴、そしてそれらを達成する方法は、添付図面と共に詳しく後述されている実施例を参照すれば明確になるはずである。しかし、本発明は、以下で開示されている実施例に限定されるものではなく、相異なる多様な形態で具現されるはずであり、単に本実施例は本発明の開示を完全なものにし、本発明の属する技術分野で通常の知識を有する者に発明の範疇を完全に知らせるために提供されるものである。明細書全体にわたって同一の参照符号は同一の構成要素を称する。
【００３０】
本明細書で使われている用語は、実施例を説明するためのものであり、本発明を制限しようとするものではない。本明細書で、単数形は文句で特別に言及しない限り複数形も含む。明細書で使われる“含む（ｃｏｍｐｒｉｓｅｓ）”及び／又は“含む（ｃｏｍｐｒｉｓｉｎｇ）”は、言及されている構成要素、段階、動作及び／又は素子において一つ以上の他の構成要素、段階、動作及び／又は素子の存在又は追加を排除しない。
【００３１】
他の定義がなければ、本明細書で使われている全ての用語（技術及び科学的用語を含む）は、本発明の属する技術分野で通常の知識を有する者に共通して理解可能な意味で使われることができるはずである。また、一般的に使用される辞書に定義されている用語は、明白に特別に定義されていない限り理想的に又は過度に解釈されない。
【００３２】
以下、本発明による使用者認証コンセント又は使用者認証コネクタを主に電気自動車の充電用として使用する場合について説明するが、本発明はこれに限定されるものではない。本発明による使用者認証コンセント又は使用者認証コネクタは、電気自動車だけでなく、多量の電気を用いて充電を要する全ての電力需要装置に対して、特に移動式電力需要装置に対して適用可能である。また、本発明による使用者認証コンセント又は使用者認証コネクタは、例えば、建物の壁に内蔵可能なコンセント形態、又は建物の壁から出たケーブルのようなコネクタ形態であり得る。すなわち、以下で本発明による使用者認証コンセント又は使用者認証コネクタがコンセント形態である場合について説明しているのは、単に説明の便宜のためである。
【００３３】
図１を参照して、本発明の一実施例による使用者認証コンセント１００と電力仲介用モジュール４００とそして電気自動車６００を説明する。図１は、本発明の一実施例による使用者認証コンセント又は使用者認証コネクタ、電力仲介用モジュール及び電気自動車を示したブロックダイアグラムである。
【００３４】
使用者認証コンセント１００は、微小電流制限装置１５０、電源供給端子１４０、認証装置１１０、認証用端子１２０及び電磁開閉器１３０を含むことができる。
【００３５】
微小電流制限装置１５０は、プラグ３００を使用者認証コンセント１００に挿入したとき、上記微小電流制限装置１５０を通して微小電流が主電源２００から使用者認証コンセント１００の電源供給端子１４０に流れるようにする。（プラグ３００を使用者認証コンセント１００に挿入していない状態では微小電流は流れない。）ここで、微小電流制限装置１５０は、例えば、抵抗２個を用いて安価で簡単な回路で構成されることができる。このように流れるようになった微小電流は、使用者認証コンセント１００の電源供給端子１４０からプラグ３００の電源供給端子３２０に伝達される。
【００３６】
微小電流制限装置１５０は、他の例を挙げると、リセッタブルヒューズ（Ｒｅｓｅｔｔａｂｌｅ  ｆｕｓｅ）として具現されることができる。リセッタブルヒューズの例示としては、アメリカのＲｅｙｃｈｅｍ社が製造する電子素子であるポリスイッチ（Ｐｏｌｙ  Ｓｗｉｔｃｈ）がある。ポリスイッチは、非常に低い低抵抗（０〜５オーム）状態から、回路に過電流が流入すると、過電流によるジュール（Ｊｏｕｌｅ）熱によって高抵抗に変化する。このようにポリスイッチが高抵抗に変化すると、回路を開放してポリスイッチはヒューズのような役割をすることになる。一般的なヒューズとの差異点は、リセッタブルヒューズは過電流の原因が除去されると再び低抵抗状態になって再使用が可能であるとの点である。本発明でポリスイッチは、微小電流の大きさを数十ｍＡ以下に制限できる許容電力を有するものに選択できる。例えば、許容電力が２０Ｗ以下のポリスイッチが選択されることができる。
【００３７】
認証装置１１０は、微小電流から得られてプラグ３００の認証用端子３１０から使用者認証コンセント１００の認証用端子１２０に伝達される、認証用電力を受けて作動される。具体的に、認証装置１１０は、電力仲介用モジュール４００の制御部４１０によって発生しプラグ３００の認証用端子３１０から使用者認証コンセント１００の認証用端子１２０に伝達される、コンセントＩＤ要請信号を受けてコンセントＩＤ情報を認証用端子１２０に伝送する。このように伝送されたコンセントＩＤ情報は、使用者認証コンセント１００の認証用端子１２０からプラグ３００の認証用端子３１０に伝達される。
【００３８】
ここで、コンセントＩＤ確認手続は、上のような方式の他にも、使用者認証コンセント１００にＲＦＩＤ又はＮＦＣを取り付け、プラグ３００にＲＦＩＤ又はＮＦＣリーダーを設けて、使用者認証コンセント１００からコンセントＩＤ情報を直接読み取る方式でも行われることができる。また、コンセントＩＤ情報と共に流動的なキー値をプラグ側に伝送する場合は、保安が追加的に強化されることができる。
【００３９】
このようなコンセントＩＤ確認手続後に、認証装置１１０は、プラグ３００の認証用端子３１０から使用者認証コンセント１００の認証用端子１２０に伝達される、コンセント作動暗号の伝送を受ける。認証装置１１０は、伝送されたコンセント作動暗号を確認し、正しければ電磁開閉器１３０をクローズして主電源２００から主電力が供給されることができるようにする。主電力は、使用者認証コンセント１００の電源供給端子１４０を通してプラグ３００の電源供給端子３２０に伝達される。
【００４０】
一旦、電磁開閉器１３０がクローズされた後は、プラグ３００の認証用端子３１０から供給された直流電力を使って、又は主電源２００から供給された交流電力の一部を使って、上記電磁開閉器１３０のクローズを維持することができる。一例示で、電磁開閉器１３０の仕様によって、上記電磁開閉器１３０を制御するために交流電力を使うことができ、この場合、主電源２００からの交流電力の一部を使って電磁開閉器１３０のクローズを維持できるため、このためのＡＣ／ＤＣコンバータは必要でなくなり得る。すなわち、認証装置１１０は直流電力によって作動されるが、これに比べて電磁開閉器１３０は、外部から直流電力を受けてトリガーされた後は交流電力によってその駆動が維持されることができる。
【００４１】
認証用端子３１０から供給された直流電力を使って電磁開閉器１３０のクローズを維持する場合は、プラグ３００を抜脱したとき、認証用端子３１０から電磁開閉器１３０を制御するための直流電力が供給されなくなって電磁開閉器１３０がオープンになる。これとは異なり、主電源２００から供給された交流電力の一部を使って電磁開閉器１３０のクローズを維持する場合は、プラグ３００を抜脱したとき、主電源回路が開放されてそれ以上主電源２００から交流電力が供給されることができなくなるため、電磁開閉器１３０がオープンになる。
【００４２】
電力仲介用モジュール４００は、ＡＣ／ＤＣコンバータ４４０、制御部４１０、無線通信部４２０、及び電力計量部４３０を含むことができる。
【００４３】
ＡＣ／ＤＣコンバータ４４０は、プラグ３００の電源供給端子３２０及び電力計量部４３０を経てＡＣ／ＤＣコンバータ４４０に提供される微小電流を直流に変換して認証用電力を生成する。
【００４４】
制御部４１０は、認証装置１１０への認証用電源供給を開始すること、コンセントＩＤを要請してコンセントＩＤ情報を受信すること、仲介サーバ５００からコンセント作動暗号を獲得することを制御する。具体的に、制御部４１０は、ＡＣ／ＤＣコンバータ４４０によって得られた認証用電力をプラグ３００の認証用端子３１０と使用者認証コンセント１００の認証用端子１２０を媒介として認証装置１１０に供給する。また、コンセントＩＤ要請信号を使用者認証コンセント１００側に送り、これに応答して使用者認証コンセント１００側から伝送されたコンセントＩＤ情報を得る。引き続いて、制御部４１０は、仲介サーバ５００との無線通信を通してコンセント作動暗号を獲得する。このように獲得されたコンセント作動暗号は、プラグ３００の認証用端子３１０と使用者認証コンセント１００の認証用端子３２０を媒介として認証装置１１０に提供される。
【００４５】
ここで、コンセント作動暗号は、図１の図示とは異なり、電力仲介用モジュール４００又は電気自動車６００の内部に保存されているデータベースから獲得されることもできる。しかし、使用者認証コンセントがますます多くなると、電力仲介用モジュール４００又は電気自動車６００の内部に全てのコンセント作動暗号を保存することは困難になり得る。よって、電力仲介用モジュール４００は、コンセント作動暗号獲得過程で無線通信部４２０を通して外部に位置する仲介サーバ５００からコンセント作動暗号を獲得することができる。このように外部からコンセント作動暗号を獲得すれば、仲介サーバ５００が別途管理されていないときに発生し得る、全体のコンセント作動暗号のデータベース外部流出の危険性を減らすことができる。
【００４６】
電力計量部４３０は、プラグ３００の電源供給端子３２０を媒介として使用者認証コンセント１００から供給される電力量を計量する。計量された電力は、コネクタ５５０によって電力仲介用モジュール４００に連結される、電気自動車６００に供給される。これと共に計量された電力量は制御部４１０に送られ、計量された電力量に基づき無線通信部４２０を媒介とする無線通信を通して仲介サーバ５００に電気自動車の入出力電力量に関する情報が伝達される。
【００４７】
図１において、使用者認証コンセント１００の認証用端子１２０は、プラグ３００の認証用端子３１０と有線で連結されても又は無線で連結されてもよい。例えば、使用者認証コンセント１００の認証用端子１２０がプラグ３００の認証用端子３１０と無線で連結される場合、使用者認証コンセント１００の認証用端子１２０は、無線でプラグ３００の認証用端子３１０から認証用電力を受信し無線でプラグ３００の認証用端子３１０と情報を送受信することができる無線電源受信及び情報送受信ユニットの形態で具現されることができる。これに相応するように、プラグ３００の認証用端子３１０は、無線で使用者認証コンセント１００の認証用端子１２０に認証用電力を送信し無線で使用者認証コンセント１００の認証用端子１２０と情報を送受信することができる無線電源送信及び情報送受信ユニットの形態で具現されることができる。
【００４８】
図２乃至図４を参照して、待機中の時と、認証中の時と、そして充放電中の時の使用者認証コンセント又は使用者認証コネクタでの電流の流れを説明する。図２は待機中の時の電流の流れを説明するための図面であり、図３は認証中の時の電流の流れを説明するための図面であり、そして図４は充放電中の時の電流の流れを説明するための図面である。
【００４９】
先に説明したように、本発明による使用者認証コンセント又は使用者認証コネクタにおいて、使用者認証コンセント１００をプラグに挿入していないときは、使用者認証コンセント又は使用者認証コネクタの全体回路が閉ループ（ｃｌｏｓｅｄ  ｌｏｏｐ）ではないため微小電流が流れず、使用者認証コンセント１００をプラグに挿入してこそ全体回路が閉ループになって微小電流が流れるようになる。すなわち、本発明において、使用者認証コンセント１００をプラグに挿入することは、使用者認証コンセント又は使用者認証コネクタの全体回路を開ループ（ｏｐｅｎ  ｌｏｏｐ）状態から閉ループに変える役割をする。よって、本発明によれば、使用者認証コンセント１００の挿入有無を検出するための別途の回路を必要としない。これを視覚的に表現するために、図２で使用者認証コンセント１００がプラグに挿入されていないことをスイッチ２５０がオープンになっている（“ＯＦＦ”と表示）と表現し、図３及び図４では使用者認証コンセント１００がプラグに挿入されていることをスイッチ２５０がクローズになっている（“ＯＮ”と表示）と表現した。
【００５０】
図２を参照すると、使用者認証コンセント１００をプラグに挿入していないとき、すなわち待機中のときは、スイッチ２５０がオープンになっているため、使用者認証コンセント又は使用者認証コネクタの全体回路は開ループ状態であって微小電流はもちろん如何なる電流も使用者認証コンセント１００とプラグ３００との間を流れない。従って、本発明によれば、待機中の時の電力消耗、すなわち待機電力消耗がない。
【００５１】
図３を参照すると、使用者認証コンセント１００をプラグに挿入してこそ全体回路が閉ループになる。このとき、電磁開閉器１３０は依然としてオープンの状態（ＯＦＦ）であるため、認証中は電磁開閉器１３０を通しては電流が流れず、微小電流制限装置１５０を通してのみ電流が流れる。ところで、先に説明したように、微小電流制限装置１５０により上記微小電流制限装置１５０を通して流れる電流の大きさが制限される。すなわち、主電源２００から主電力が提供されるが、微小電流制限装置１５０によって、例えばポリスイッチによって、その大きさが数十ｍＡに過ぎない微小電流だけが上記微小電流制限装置１５０を通して流れるようになる。このように流れるようになった微小電流はプラグ側に伝達される。そうすると、先に説明したＡＣ／ＤＣコンバータ（図１の４４０参照）によって微小電流が直流に変換されて認証用電力が生成され使用者認証コンセント１００に提供される。
【００５２】
ここで特に注目することは、本発明によれば、使用者認証コンセント１００の認証装置１１０は、使用者認証コンセント１００の外部から認証用電力の提供を受けて作動されるということである。すなわち、電力供給側ではない電力需要側で微小電流が直流に変換され、このように生成された認証用電力が電力需要側から電力供給側に逆提供される。このように逆提供された認証用電力によって認証装置１１０が作動されることにより、先に説明したような使用者認証過程を経ることになる。
【００５３】
一方、使用者認証過程を経た結果、使用者が認証されると、図４を参照して後述するように、電磁開閉器１３０がクローズされるが、このとき電磁開閉器１３０がクローズ、すなわちトリガーされること自体は認証装置１１０と同様に直流電力によって作動されることができる。これを表現するために、図３には認証用電力が電磁開閉器１３０にまでも提供されるものとして示されている。
【００５４】
図４を参照すると、図３を参照して説明した使用者認証過程を経た結果、使用者が認証されれば、電磁開閉器１３０をクローズして主電源２００から主電力が供給できるようになる。このように電磁開閉器１３０がクローズになると、理論的に電磁開閉器の両端の抵抗は０に近くなるため微小電流制限装置１５０には電流が流れなくなる。
【００５５】
ここで電磁開閉器１３０がクローズ、すなわちトリガーされること自体は、先に図３を参照して説明したように、認証用電力によって作動されることができる。しかし、一旦電磁開閉器１３０がクローズされた後に上記電磁開閉器１３０のクローズが維持されるのは、引き続き認証用電力を使うことによっても可能であり、又は主電源２００から供給された交流電力の一部を使うことによっても可能である。図４には電磁開閉器１３０のクローズを交流電力によって維持することを表現するために認証用電力がそれ以上流れないものとして示した。
【００５６】
図５を参照して、本発明の他の実施例による電力仲介用モジュールを説明する。図５は、本発明の他の実施例による電力仲介用モジュールを含む、使用者認証コンセント又は使用者認証コネクタ、電力仲介用モジュール及び電気自動車を示すブロックダイアグラムである。
【００５７】
図５に示されている実施例で、電力需要装置である電気自動車６００への連結のためのコネクタ５５２に上記コネクタ５５２と電力仲介用モジュール４００が一体化された形態で具現されている。このような具現形態によれば、コネクタ５５２に電力仲介用モジュールが内蔵された形態になって、外観上プラグとコネクタ５５２だけが残るようになるため、電力仲介用モジュールの破損、浸水及び盗難などの危険が減少又は除去できる。盗難予防のために機械的／電子的ロック装置をコネクタ５５２に内蔵することもできる。図５において、図１と同一の図面符号を用いた構成要素は、図１での構成要素と実質的に同一類似であるため、便宜上その詳しい説明は省略する。
【００５８】
図６を参照して、本発明のまた他の実施例による電力仲介用モジュールを説明する。図６は、本発明のまた他の実施例による電力仲介用モジュールを含む、使用者認証コンセント又は使用者認証コネクタ、電力仲介用モジュール及び電気自動車を示したブロックダイアグラムである。
【００５９】
図６に示されている実施例で、電力供給装置である使用者認証コンセント１００への連結のためのプラグ３０２に上記プラグ３０２と電力仲介用モジュールが一体化された形態で具現されている。このような具現形態によれば、プラグ３０２に電力仲介用モジュールが内蔵された形態になって、外観上プラグとコネクタ５５０だけが残るようになるため、電力仲介用モジュールの破損、浸水及び盗難などの危険が減少又は除去できる。盗難予防のために機械的／電子的ロック装置をプラグ３０２に内蔵することもできる。図６において、図１と同一の図面符号を用いた構成要素は、図１での構成要素と実質的に同一類似であるため、便宜上その詳しい説明は省略する。
【００６０】
図７を参照して、本発明の他の実施例による電気自動車を説明する。図７は、本発明の他の実施例による電気自動車を含む、使用者認証コンセント又は使用者認証コネクタ及び電気自動車を示したブロックダイアグラムである。
【００６１】
図７に示されている電気自動車６０２は、図１、図５及び図６に示されている電気自動車６００が電力仲介用モジュールを媒介として使用者認証コンセント又は使用者認証コネクタに連結されて充電できるのとは異なり、電気自動車６０２が電力仲介用モジュールを自体的に備えている。具体的に、電気自動車６０２は、無線通信部４２０、制御部４１０、電力計量部４３０を含むことができる。図７に示されている電気自動車６０２では、電気自動車内部の電装品用バッテリ（例えば、１２Ｖバッテリ）４４２が認証用電力（直流電力）を、制御部４１０を媒介として使用者認証コンセント１００に提供することができる。電装品用バッテリ（例えば、１２Ｖバッテリ）４４２は、電気自動車内部で電装品を作動させるために使うバッテリである。これに加えて、電気自動車６０２は充電器４５２及びトラクションバッテリ４５４をさらに含むことができる。電力計量部４３０を経て計量された主電力は、電気自動車６０２の充電器４５２で直流に変換されてトラクションバッテリ４５４に保存されることができる。トラクションバッテリ４５４は、電気自動車６０２の駆動バッテリである。図７において、図１と同一の図面符号を用いた構成要素は、図１での構成要素と実質的に同一類似であるため、便宜上その詳しい説明は省略する。
【００６２】
図８及び図９をさらに参照して、本発明による使用者認証コンセント又は使用者認証コネクタ、電力仲介用モジュール及び電気自動車において電気自動車が充電される過程を説明する。図８は、本発明による使用者認証コンセント又は使用者認証コネクタ、電力仲介用モジュール及び電気自動車において、電気自動車の充電が始まる過程を示したフローチャートであり、図９は、電気自動車の充電が完了する過程を示したフローチャートである。
【００６３】
コネクタ５５０又はコネクタ５５２を電気自動車６００に挿入し、プラグ３００を使用者認証コンセント１００に挿入する（Ｓ１００）。ここで、図７に示されている実施例では、もちろんコネクタを電気自動車６０２に挿入する過程は要求されない。プラグ３００を使用者認証コンセント１００に挿入することにより微小電流が通電される（Ｓ１１０）。
【００６４】
微小電流が流れて電力仲介用モジュール４００に供給されると、電力仲介用モジュール４００は上記微小電流を認証用電力に変換して使う（Ｓ１２０）。使用者認証コンセント１００のＩＤを獲得し（Ｓ１３０）、獲得された使用者認証コンセント１００のＩＤを仲介サーバ５００に伝送して（Ｓ１４０）、使用者認証コンセント１００のＩＤに相応するコンセント作動暗号を仲介サーバ５００から獲得する（Ｓ１５０）。
【００６５】
使用者認証コンセント１００は、電力仲介用モジュール４００からコンセント作動暗号を受け取ってこれを確認し、正しければ、電磁開閉器１３０をクローズして主電源２００から電磁開閉器１３０を通して電源供給端子１４０に主電力が供給されることができるようにする（Ｓ１６０）。
【００６６】
主電力の供給が開始されることにより電気自動車６００の充電が始まり（Ｓ１７０）、これと共に電力仲介用モジュール４００は、単位時間周期ごとに電気自動車に提供される充電量情報を仲介サーバ５００に伝送する（Ｓ１８０）。電気自動車が完全に充電された場合ならば、電力仲介用モジュール４００から仲介サーバ５００に最終充電量情報を伝送する（Ｓ２２０）。
【００６７】
これとは異なり、電気自動車が完全に充電される前にプラグ及び／又はコネクタ５５０が抜脱された場合は、コネクタ５５０をプラグ３００より先に抜脱したか否かによって次のように最終充電量情報が決まる。もしコネクタ５５０を抜脱した状態ならば、電気自動車が完全に充電されたときと同様に、電力仲介用モジュールから仲介サーバ５００に最終充電量情報を伝送する（Ｓ２２０）。
【００６８】
しかし、もしコネクタ５５０を先に抜脱せずプラグ３００を使用者認証コンセント１００から抜脱したならば（Ｓ１９０）、微小電流がそれ以上通電されないため、認証用電力の供給中断によって電力仲介用モジュール４００と仲介サーバ５００との間の通信も中断される（Ｓ２００）。このときには、電力仲介用モジュール４００と仲介サーバ５００との間の通信中断前の最後の単位時間周期の充電量を通信中断が発生した単位時間周期の充電量と見なす（Ｓ２１０）。
【００６９】
以上説明した電気自動車の充電過程において、場合によっては送電線路などによる制限により使用者認証コンセントの許容電流量がそれぞれ異なり得る。このような場合に備えて、使用者認証コンセントの許容電流量情報を等級化して提供する必要がある。具体的な提供方法としては、（ｉ）使用者認証コンセント又は使用者認証コネクタがその許容電流量情報を、コンセントＩＤ情報を通して電力仲介用モジュールに直接提供する方法と、（ｉｉ）コンセントＩＤ情報に相応する上記使用者認証コンセント又は使用者認証コネクタの許容電流量情報を仲介サーバに保存し、認証過程中に電力仲介用モジュールが仲介サーバから上記保存されている許容充電量の伝送を受ける方法がある。
【００７０】
以上説明した本発明による使用者認証コンセント１００、電力仲介用モジュール４００及び電気自動車６００によれば、プラグ３００を使用者認証コンセント１００に挿入することによって流れるようになる微小電流を用いて認証手続がなされる。よって、電力仲介用モジュール４００は、自体バッテリを備えなくてもよい。
【００７１】
さらに、微小電流制限装置１５０を用いて微小電流の大きさを制限するため、携帯電話の充電器と電気シェーバーを含む大部分の電気機器は認証手続を経ずには使用できない。
【００７２】
具体的に、未認証時に（すなわち、認証手続を経る前に）本発明による使用者認証コンセント１００での微小電流の最大値は数十ｍＡであり得る。一例を挙げると、微小電流が１０ｍＡ（０.０１Ａ）ならば、３,０００Ｗの電熱器のプラグを本発明による使用者認証コンセント１００に挿入する場合、最大２.２Ｗ（２２０Ｖ×１０ｍＡ＝２.２Ｗ）の電力だけが供給されることができるため、認証手続を経る前は、電熱器は全く使用できない。他の例を挙げると、スマートフォン充電器の場合、０.１５Ａの電流が必要であるが、本発明による使用者認証コンセント１００での微小電流の最大値は数十ｍＡに過ぎないため、依然として同様に、認証手続を経る前は、スマートフォン充電器は全く使用できない。
【００７３】
すなわち、本発明での微小電流量は、認証手続を経るための認証用電源としては十分な大きさを有するが、このような微小電流量ではスマートフォン充電器（０.１５Ａ）のような電力消耗量の小さい電気機器さえも現実的に使用困難である。仮に一月中ずっと電気が無断で使用されても、例えば微小電流が１０ｍＡ（０.０１Ａ)ならば、その電力量は２２０Ｖ×０.０１Ａ×２４時間×３１日＝１,６３０Ｗ（１.６３ｋＷ）に過ぎず、その金額としては平均２００ウォンにも及ばない。
【００７４】
また、本発明による使用者認証コンセント１００、電力仲介用モジュール４００及び電気自動車６００によれば、プラグ３００を使用者認証コンセント１００に挿入したときにだけ微小電流が流れ、プラグ３００を使用者認証コンセント１００から抜脱すると、電磁開閉器１３０がオープンになってそれ以上主電源２００から使用者認証コンセント１００の電源供給端子１４０及びプラグ３００の電源供給端子３２０を経て電力仲介用モジュール４００に電流が流れなくなる。また、プラグ３００を使用者認証コンセント１００に挿入していない状態では微小電流さえも流れなくなる。よって、使用者認証コンセント１００の待機動作時に使用者認証のための部品が電力を、すなわち待機電力を消耗しなくなる。これにより、待機電力にかかる費用を負担する者（例えば、建物所有者）と実使用者（例えば、電気自動車の所有者）との不一致による問題も発生しなくなる。
【００７５】
一方、本発明による使用者認証コンセント１００、電力仲介用モジュール４００及び電気自動車６００によれば、上述のように、電力仲介用モジュール４００は自体バッテリを備えないこともあるが、この場合、プラグ３００を使用者認証コンセント１００から抜脱したとき、電力仲介用モジュール４００はそれ以上仲介サーバ５００に電力充電量を送ることができなくなり問題となり得る。これを解決するために、本発明によれば、先に図８及び図９を参照して説明したように、電力仲介用コネクタ４００の無線通信部４２０が仲介サーバ５００と周期的に通信することができる。
【００７６】
具体的に、電力仲介用モジュール４００の無線通信部４２０は、単位時間周期ごとに仲介サーバ５００と通信して仲介サーバ５００に単位時間当たりの電力充電量を伝送することができる。もし電気自動車６００を完全に充電したならば、プラグ３００を使用者認証コンセント１００に挿入して主電源が供給された全時間に対して電力充電量を算定すればよい。しかし、これとは異なり、電気自動車６００を完全に充電せず、途中でプラグ３００を使用者認証コンセント１００から抜脱した場合は、抜脱前（すなわち、通信中断前）の最後の単位時間周期に仲介サーバ５００に送信された電力充電量を抜脱（すなわち、通信中断）が発生した単位時間周期の電力充電量と見なすことができる。
【００７７】
例えば、単位時間周期が１分のとき、充電開始から１０分後に仲介サーバに最後に電力充電量を伝送し、１０分と１１分との間に充電が中断されたならば、９分と１０分との間の電力充電量を１０分と１１分との間の電力充電量と見なすことができる。このように見なすのは、電気自動車の充電時、完全な充電の８０〜９０％までは定格容量で充電され、その後に電流量が斜線状に急降下するという点に基づくものである。
【００７８】
先の例示とは異なり、単位時間周期は１分ではない１０分、３０秒など任意選択可能である。電気自動車６００を完全に充電せず、途中でプラグ３００を使用者認証コンセント１００から抜脱した場合、先の仮定から分かるように、単位時間周期が大きくなるほど電気自動車の電力充電量が過多に算定されるわけであり、単位時間周期が小さくなるほど電気自動車の電力充電量はより正確に算定されるわけである。よって、リアルタイムで電力充電量を伝送するのが理想的であろうが、データ通信量の問題により通信費用が大幅に増加することから現実的に不可能であろう。望ましくは、単位時間周期は先の例示のように１分である。この場合、電気自動車の電気料金制を適用して電気自動車を１時間当たり３.３ｋＷで充電すれば１時間に平均３３０ウォンの電気料金が発生する。よって、１分を単位時間周期とすると、１分に対する電気料金は５．５ウォンになる。
【００７９】
以上説明した本発明による使用者認証コンセント又は使用者認証コネクタ、電力仲介用モジュール、そしてこれを利用する電力需要装置（例えば、電気自動車）によれば、使用者認証コンセント又は使用者認証コネクタに電力需要装置が連結されたときに微小電流が通電され、このような微小電流から認証用電力を得て使用者認証がなされ、このような使用者認証を経た後に主電源から主電力を電力需要装置に供給するため、電気自動車との連結を待機する間、待機電力消費が全く発生しない。すなわち、平常時に使用者認証のための電力を浪費しないながらも、事前に使用が許可された使用者に限って電力を供給することができる。また、使用者認証コンセント又は使用者認証コネクタの不正使用を防ぐための追加的な機械式ロック装置を必要としなくなる。
【００８０】
また、電気自動車を充電するための従来の給電装置は、嵩が大きく、給電装置の内部に通信装置と使用者認証装置、そしてこれらを運用するための直流電力供給装置を必要とした。しかし、本発明による使用者認証コンセント又は使用者認証コネクタ、電力仲介用モジュール、そしてこれを用いる電力需要装置（例えば、電気自動車）によれば、認証装置１１０と、そして例えば抵抗２個で簡単に具現されることができる微小電流制限装置１５０だけが使用者認証コンセント１００側に付加され、残りの必要な装置は、例えば、電力仲介用モジュール４００の無線通信部４２０の形態で使用者認証コンセント１００の外部に配置される。よって、固定式装置、すなわち使用者認証コンセント又は使用者認証コネクタの構造を簡単にしながらも保安を維持することができる。
【００８１】
次に、本発明による使用者認証コンセント又は使用者認証コネクタ、電力仲介用モジュール、そしてこれを用いる電力需要装置（例えば、電気自動車）は、実際的に又は商業的に次のような価値を有することができる。
【００８２】
１００個の駐車面を有する建物地下駐車場で１０台の電気自動車を充電する場合を仮定すると、従来の給電装置によれば、待機電力消費問題及び設置費用問題により１０個の電気自動車専用駐車面を必要とする。よって、電気自動車の使用者のための専用駐車面を備えなければならないため、電気自動車使用者と一般自動車使用者の両方に不便が生じ得る。
【００８３】
しかし、本発明による使用者認証コンセント又は使用者認証コネクタによれば、１００個の駐車面全てにこれを設置しても、設置費用が安価なばかりか待機電力消費にも全く影響を及ぼさなくなる。よって、電気自動車と一般自動車の駐車区画を分けなくてもよいため、全ての自動車使用者が便利に駐車でき、電気自動車使用者は場所に関係なく、すなわち電気自動車専用駐車面を探し回らなくても電気自動車を充電することができるようになる。
【００８４】
最後に、本発明による使用者認証コンセント又は使用者認証コネクタ、電力仲介用モジュール、そしてこれを用いる電力需要装置（例えば、電気自動車）は、本特許出願人の他の特許出願である韓国特許出願第１０−２０１３−００３８２２５号での位置基盤電力仲介用電気自動車及び仲介サーバにも適用可能である。具体的に、韓国特許出願第１０−２０１３−００３８２２５号での位置基盤電力仲介用電気自動車及び仲介サーバで、本発明による使用者認証コンセント又は使用者認証コネクタ、電力仲介用モジュール、そして電気自動車を適用すれば、保安問題を解決しながらも待機電力費用を完全に除去でき、建物所有者は何ら心配することなく電力仲介のために電気自動車用の使用者認証コンセントを共有することができるようになる。
【００８５】
以上、添付図面を参照して本発明の実施例を説明したが、本発明の属する技術分野において通常の知識を有する者は、本発明がその技術的思想や必須の特徴を変更しない範囲内で他の具体的な形態で実施可能であることを理解できるはずである。よって、以上で記述した実施例は、全ての面において例示的なものであって限定的なものではないと理解しなければならない。
【図１】
0006665192.tif 000002
【図２】
0006665192.tif 000003
【図３】
0006665192.tif 000004
【図４】
0006665192.tif 000005
【図５】
0006665192.tif 000006
【図６】
0006665192.tif 000007
【図７】
0006665192.tif 000008
【図８】
0006665192.tif 000009
【図９】
0006665192.tif 000010